Podtech/llm-jp-corpus-v4-ja_patent huggingface dataset:
【手続補正書】
【提出日】平成20年6月17日(2008.6.17)
【手続補正１】
【補正対象書類名】明細書
【補正対象項目名】０００２
【補正方法】変更
【補正の内容】
【０００２】
角膜へのレンズの挿入には、正確且つ慎重な配置が求められる。器具は、使用が容易であり、レンズを曲げる又は損傷することなく、角膜ポケットへと適合する必要性がある。
【特許文献１】米国特許第５，１２３，９０５号明細書
【特許文献２】米国特許第６，０５６，７５７号明細書
【特許文献３】米国特許第５，０６６，２９７号明細書
【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
内腔および長軸を有している管状のボディ、および
管状のボディの内腔の長軸に沿って実質的に平行に置かれた複数の絹の要素、
を含む、神経細胞の再生のための医療用デバイス。
【請求項２】
管状のボディは再吸収可能な物質を含む、請求項１記載のデバイス。
【請求項３】
前記ボディはマトリックス中に配置された繊維を含む複合構造を有し、該マトリックスは絹タンパク質である、請求項１または２記載のデバイス。
【請求項４】
絹タンパク質は、蚕または非蚕から得られた再溶解された絹タンパク質、または蚕または非蚕から得られた天然絹糸フィブロインである、請求項３記載のデバイス。
【請求項５】
マトリックスは架橋によって安定させられている、請求項３または４記載のデバイス。
【請求項６】
ボディを形成する繊維はヘリカルに置かれるか編まれている、請求項３から５のいずれか１項記載のデバイス。
【請求項７】
ボディを形成する繊維は絹の繊維である、請求項３から６のいずれか１項記載のデバイス。
【請求項８】
絹の要素または繊維は、蚕絹、非蚕絹、クモ・ドラグライン絹、または組み換え絹タンパク質もしくはタンパク質類似化合物から紡がれたフィラメントを含む、請求項１から７のいずれか１項記載のデバイス。
【請求項９】
再吸収可能な生体適合性のポリマーを含む内腔マトリックス中に、複数の絹の要素がセットされる、請求項１から８のいずれか１項記載のデバイス。
【請求項１０】
再吸収可能な生体適合性のポリマーはヒドロゲルを含む、請求項９記載のデバイス。
【請求項１１】
ヒドロゲルはポリリシンまたはカゼインを含むかまたは含まない、ヒアルロン酸またはアルギン酸塩である、請求項１０記載のデバイス。
【請求項１２】
内腔または絹の要素はさらに細胞外マトリックスを含む、請求項１から１１のいずれか１項記載のデバイス。
【請求項１３】
細胞外マトリックスはフィブロネクチンおよび／またはラミニンを含む、請求項１２記載のデバイス。
【請求項１４】
デバイスはさらに１つ以上の生物活性物質を含む、請求項１から１３のいずれか１項記載のデバイス。
【請求項１５】
生物活性物質は、生長因子、サイトカイン、抗生物質、免疫抑制薬、ステロイド、非ステロイド抗炎症剤（ＮＳＡＩＤ）から成る群から選ばれる、請求項１４記載のデバイス。
【請求項１６】
デバイスはさらに細胞集団を含む、請求項１から１５のいずれか１項記載のデバイス。
【請求項１７】
細胞はシュワン細胞または嗅覚被膜細胞（ＯＥＣ）である、請求項１６記載のデバイス。
【請求項１８】
管状のボディを形成し、管状のボディの内腔の長軸に沿って本質的に平行に配置されるように管状のボディの内腔内へ絹の要素を導入することを含む、神経細胞の再生のための医療用デバイスを製造する方法。
【請求項１９】
管状のボディの形成は、以下の工程を含む、請求項１８記載の方法：
−  管状のボディが形成される型台を調製すること；
−  型台上に繊維を置くこと；
−  繊維にマトリックスを適用し、複合ボディを形成すること；および
−  型台を除去すること。
【請求項２０】
さらにマトリックスの架橋を含む、請求項１９記載の方法。
【請求項２１】
チューブの内腔内の絹の要素間に内腔マトリックス成分を導入することを更に含む、請求項１８、１９または２０記載の方法。
【請求項２２】
神経細胞の再生での使用のための、請求項１から１６のいずれか１項記載の医療用デバイス。
【請求項２３】
脊髄中の神経細胞の再生での使用のための、請求項１から１６のいずれか１項記載の医療用デバイス。
【請求項２４】
末梢神経中の神経細胞の再生での使用のための、請求項１から１６のいずれか１項記載の医療用デバイス。
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
微生物性病原体による感染に対して哺乳動物を防御し得るモノクローナル抗体であって、該病原体がβ−１，３−グルカンおよびβ−１，６−グルカンを含む細胞壁を有し、該モノクローナル抗体が該β−１，６−グルカンよりも該β−１，３−グルカンに優先的な結合を示す、モノクローナル抗体。
【請求項２】
前記抗体が、配列番号４、６、８、１０、１２および１４の１つ以上から選択されるアミノ酸配列を有する１つ以上のＣＤＲを含む、請求項１に記載の抗体。
【請求項３】
前記抗体が、配列番号１および／または配列番号２の可変ドメイン配列を有する、請求項１に記載の抗体。
【請求項４】
前記抗体がヒト抗体もしくはヒト化抗体であるか、またはキメラ抗体である、請求項１〜３のいずれか１項に記載の抗体
【請求項５】
前記抗体が単鎖抗体である、請求項１〜３のいずれか１項に記載の抗体。
【請求項６】
前記抗体が微生物病原体に対する微生物活性を有する、請求項１〜５のいずれか１項に記載のモノクローナル抗体。
【請求項７】
前記微生物病原体が：Ｃａｎｄｉｄａ；Ｃｒｙｐｔｏｃｏｃｃｕｓ；Ｅｎｔｅｒｏｃｏｃｃｕｓ；Ｓｔｒｅｐｔｏｃｏｃｃｕｓ；Ｌｅｉｓｈｍａｎｉａ；Ａｃａｎｔｈａｍｏｅｂａ種；Ａｓｐｅｒｇｉｌｌｕｓ種；Ｐｎｅｕｍｏｃｙｓｔｉｓ種；Ｍｙｃｏｂａｃｔｅｒｉｕｍ種；Ｐｓｅｕｄｏｍｏｎａｓ種；Ｓｔａｐｈｙｌｏｃｏｃｃｕｓ種；Ｓａｌｍｏｎｅｌｌａ種；Ｃｏｃｃｉｄｉｏｉｄｅｓ；Ｔｒｉｃｈｏｐｈｙｔｏｎ；Ｂｌａｓｔｏｍｙｃｅｓ；Ｈｉｓｔｏｐｌａｓｍａ；Ｐａｒａｃｏｃｃｉｄｉｏｉｄｅｓ；ＰｙｔｈｉｕｍｎまたはＥｓｃｈｅｒｉｃｈｉａである、請求項６に記載のモノクローナル抗体。
【請求項８】
前記微生物がＣ．ａｌｂｉｃａｎｓである、請求項７に記載のモノクローナル抗体。
【請求項９】
前記微生物がＡ．ｆｕｍｉｇａｔｉｓである、請求項７に記載のモノクローナル抗体。
【請求項１０】
医薬としての使用のための請求項１〜９のいずれか１項に記載のモノクローナル抗体。
【請求項１１】
請求項１〜９のいずれか１項に記載の抗体を発現するハイブリドーマ。
【請求項１２】
請求項１〜９のいずれか１項に記載の抗体をコードする核酸。
【請求項１３】
請求項１２に記載の核酸を含む発現ベクター。
【請求項１４】
請求項１３に記載の発現ベクターで形質転換された宿主細胞。
【請求項１５】
請求項１〜９のいずれか１項に記載のモノクローナル抗体および薬学的に受容可能なキャリアを含む薬学的組成物。
【請求項１６】
抗真菌薬をさらに含む、請求項１５に記載の組成物。
【請求項１７】
微生物感染に対して患者を防御するための、請求項１５に記載の薬学的組成物。
【請求項１８】
微生物感染に対する患者の防御のための医薬の製造における、請求項１〜９のいずれか１項に記載のモノクローナル抗体の使用。
【請求項１９】
前記患者が、ヒト患者、女性患者、妊娠中の患者、免疫無防備状態の患者もしくは免疫抑制された患者であるか、または抗生物質治療もしくは化学療法を受けている患者であるか、全身的な微生物感染を有する患者であるか、静脈内カテーテルを留置している患者であるか、ＨＩＶ；ＡＩＤＳ；好中球減少；以前の真菌コロニー形成；糖尿病；白血病；リンパ腫：火傷；浸軟；口腔感染を有する患者であるか；以前に血液透析を受けた患者であるかもしくは器官移植を受けている患者である、請求項１７に記載の薬学的組成物、あるいは請求項１８に記載の使用。
【請求項２０】
アスペルギルス症、クリプトコックス症、皮膚真菌症、スポロトリクス症および他の皮下真菌症、ブラストミセス症、ヒストプラスマ症、コクシジオイデス真菌症、パラコクシジオイドミコーシス、ニューモシスティス症、鵞口瘡、結核、ミコバクテリア症、呼吸器感染、猩紅熱、肺炎、膿痂疹、リウマチ熱、セプシス、敗血症、皮膚および内蔵のリーシュマニア症、角膜アカントアメーバ症、角膜炎、嚢胞性線維症、腸チフス、胃腸炎および溶血性尿毒症症候群に対する防御のための、請求項１７に記載の薬学的組成物、または請求項１８に記載の使用。
【請求項２１】
カンジダ症に対する防御のための、請求項１７に記載の薬学的組成物、または請求項１８に記載の使用。
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
細胞材料のサンプルから核酸を単離する方法において、
ａ）核酸結合部分と結合する基質を含む固相を与える工程と、
ｂ）前記核酸内容物を前記固相に結合させるに十分な時間、いかなる溶解溶液をも加えることなく、核酸を含んでいる細胞材料のサンプルと前記固相とを一緒にする工程と、
ｃ）前記固相から前記サンプルを分離する工程と、
ｄ）前記固相から結合核酸を解離する工程と、
を含み、すべての工程が周囲環境と同じ圧力の下、細胞材料の分解を引き起こすことのない温度下で行われる、サンプルからの核酸の単離方法。
【請求項２】
前記細胞材料が、動物、植物または細菌由来の無傷細胞、および、動物、植物または細菌由来の無傷細胞を含んでいる組織からなる群から選択される請求項１記載の単離方法。
【請求項３】
前記サンプルが、細菌の培養液、体液、全血および血液成分、組織抽出物、植物材料、並びに細胞材料を含む環境サンプルからなる群から選択される請求項１記載の単離方法。
【請求項４】
前記サンプルが、全血である請求項１記載の単離方法。
【請求項５】
前記核酸が、ＤＮＡおよびＲＮＡからなる群から選択される請求項１記載の単離方法。
【請求項６】
前記核酸が、有機体のゲノムＤＮＡである請求項５記載の単離方法。
【請求項７】
前記核酸が、全血から得られたヒトのゲノムＤＮＡである請求項５記載の単離方法。
【請求項８】
前記基質が、シリカ、ガラス、不溶性合成ポリマーおよび不溶性多糖類から選択される請求項１記載の単離方法。
【請求項９】
前記固相の前記基質が、シリカである請求項１記載の単離方法。
【請求項１０】
前記固相が、さらに磁性反応部分を含む請求項１記載の単離方法。
【請求項１１】
前記核酸結合部分が、３級スルホニウム基、４級アンモニウム基および４級ホスホニウム基からなる群から選択される請求項１記載の単離方法。
【請求項１２】
前記核酸結合部分が、選択的に開裂されうる結合を介して基質に結合される請求項１記載の単離方法。
【請求項１３】
前記結合核酸が、強アルカリ溶液中で前記固相から解離される請求項１２記載の単離方法。
【請求項１４】
前記結合が、加水分解により開裂される請求項１２記載の単離方法。
【請求項１５】
前記結合核酸が、強アルカリ溶液中で前記固相中から解離される請求項１４記載の単離方法。
【請求項１６】
前記強アルカリ溶液が、少なくとも１０−４Ｍの濃度のアルカリ金属水酸化物または水酸化アンモニウムを含む請求項１５記載の単離方法。
【請求項１７】
前記強アルカリ溶液が、少なくとも０．０１Ｍの濃度のアルカリ金属水酸化物または水酸化アンモニウムを含む請求項１５記載の単離方法。
【請求項１８】
周囲環境と同じ温度下で行われる、請求項1記載の単離方法。
【請求項１９】
細胞材料のサンプルから核酸を単離する方法において、
ａ）３級スルホニウム基、４級アンモニウム基および４級ホスホニウム基からなる群から選択される核酸結合部分と結合する基質を含む固相を与える工程と、
ｂ）固相材料と無傷細胞の接触により細胞から前記核酸を遊離させるために、前記核酸内容物を前記固相に結合させるに十分な時間、前記無傷細胞を含む、前記核酸を含有する細胞材料と前記固相を一緒にする工程と、
ｃ）前記固相から前記サンプルを分離する工程と、
ｄ）前記固相から結合核酸を解離する工程と、
を含む、細胞材料のサンプルから核酸を単離する方法。
【請求項２０】
実質的にすべての前記核酸内容物が細胞から遊離する請求項１９記載の単離方法。
【請求項２１】
単離された核酸が細胞のゲノムＤＮＡ由来の核酸を含む請求項１９記載の単離方法。
【請求項２２】
核酸を遊離させるため細胞を溶解または透過性にする試薬を用いない請求項１９記載の単離方法。
【請求項２３】
前記核酸が、有機体のゲノムＤＮＡである請求項１９記載の単離方法。
【請求項２４】
前記核酸が、全血から得られたヒトのゲノムＤＮＡである請求項１９記載の単離方法。
【請求項２５】
すべての工程が周囲環境と同じ圧力の下、細胞材料の分解を引き起こすことのない温度下で行われる、請求項１９記載の単離方法。
【請求項２６】
周囲環境と同じ温度下で行われる、請求項２５記載の単離方法。
【請求項２７】
前記核酸結合部分が、選択的に開裂されうる結合を介して基質に結合される請求項１９記載の単離方法。
【請求項２８】
前記結合が加水分解により開裂され、前記結合核酸が強アルカリ溶液によって固相から解離する、請求項２６記載の単離方法。
【請求項２９】
いかなる溶解溶液も加えられることのない請求項２６記載の単離方法。
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
飲料がブリューされる物質を含むパッドを封入するブリューチャンバと、前記ブリューチャンバに加圧された水を供給するための、ポンプ手段と前記ブリューチャンバとの間の給水管と、前記ブリューされた飲料が前記ブリューチャンバから出ることができる孔を有する吐出口とを有する飲料作製装置であって、前記ブリューチャンバの壁の一部は静止的であり、前記壁の他の部分は、前記ブリューチャンバを開けるために前記静止部分から離れることができる、飲料作製装置において、前記ブリューチャンバへの給水が終わった後に前記ブリューチャンバから圧力を解放するための手段が存在することを特徴とする飲料作製装置。
【請求項２】
請求項１に記載の飲料作製装置において、圧力を解放するための前記手段は、前記給水管中の圧力解放弁を有することを特徴とする飲料作製装置。
【請求項３】
請求項２に記載の飲料作製装置において、前記圧力解放弁は、前記給水管の一部によって前記ポンプ手段に接続される入口と、前記給水管の他の部分によって前記ブリューチャンバに接続される第１の吐出口と、圧力のない又は低い空間に接続される第２の吐出口とを有し、前記第２の吐出口を開閉するための手段が存在することを特徴とする飲料作製装置。
【請求項４】
請求項３に記載の飲料作製装置において、前記圧力解放弁は、前記第２の吐出口が開いている第１の位置と、前記第２の吐出口が閉じている第２の位置との間で動くことができる移動可能部材を有し、該移動可能部材は、前記ポンプ手段によって供給される前記水の圧力変化によって移動されることを特徴とする飲料作製装置。
【請求項５】
請求項４に記載の飲料作製装置において、前記移動可能部材は前記第１の位置において前記入口を閉じることを特徴とする飲料作製装置。
【請求項６】
請求項５に記載の飲料作製装置において、前記移動可能部材は、弁ハウジング内の空間を２つの部分に分割する膜であり、第１の部分は前記入口に接続され、第２の部分は前記第１の吐出口及び前記第２の吐出口の両方に接続され、前記膜は前記２つの部分の間に開口部を有し、前記膜は、バネ手段によって、当該膜が入口を閉じる前記第１の位置に押され、また、前記膜は、前記第１の部分における圧力によって、当該膜が前記第２の吐出口を閉じる前記第２の位置に押されることができることを特徴とする飲料作製装置。
【請求項７】
飲料がブリューされる物質を含むパッドを封入するブリューチャンバと、前記ブリューチャンバに加圧された水を供給するための、ポンプ手段と前記ブリューチャンバとの間の給水管と、ブリューされた飲料が前記ブリューチャンバから出ることができる孔を有する吐出口とを有する装置によって飲料を作る方法であって、前記ブリューチャンバへの給水が終わった後に前記ブリューチャンバから圧力解放手段によって圧力が解放されることを特徴とする方法。
【手続補正２】
【補正対象書類名】明細書
【補正対象項目名】００１３
【補正方法】変更
【補正の内容】
【００１３】
好ましい一実施例では、前記移動可能な部材は、弁ハウジング内の空間を２つの部分に分割する膜であり、第１の部分は入口に接続され、第２の部分は前記第１の吐出口及び前記第２の吐出口の両方に接続され、前記膜は前記２つの部分の間に開口部を有し、前記膜は、バネ手段によって、当該膜が入口を閉じる前記第１の位置に押され、また、前記膜は、前記第１の部分における圧力によって、当該膜が前記第２の吐出口を閉じる前記第２の位置に押される。その結果、単純で信頼性がある圧力解放弁が得られる。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
アルコールデヒドロゲナーゼ（ＡＤＨ）、乳酸デヒドロゲナーゼ（ＬＤＨ）、ピルビン酸オキシダーゼ（ＰＯＸＢ）、コハク酸デヒドロゲナーゼ（ＳＤＨ）、ａｃｅＢＡＫオペロンリプレッサー（ＩＣＬＲ）、アセテートキナーゼ（ＡＣＫ）、およびホスホトランスアセチラーゼ（ＰＴＡ）の低下した活性を含む、遺伝子操作された細菌。
【請求項２】
グルコースホスホトランスフェラーゼ系（ＰＴＳＧ）の低下した活性をさらに含む、請求項１に記載の遺伝子操作された細菌。
【請求項３】
ガラクトースパーミアーゼ（ＧＡＬＰ）、ホスホエノールピルビン酸カルボキシラーゼ（ＰＥＰＣ）およびピルビン酸カルボキシラーゼ（ＰＹＣ）からなる群より選択される１つ以上のタンパク質の低下した活性をさらに含む、請求項１に記載の遺伝子操作された細菌。
【請求項４】
ΔａｄｈＥ、ΔｌｄｈＡ、ΔｐｏｘＢ、ΔｓｄｈＡＢ、ΔｉｃｌＲ、ΔｐｔｓＧ、Δ（ａｃｋＡ−ｐｔａ）を含む、請求項１に記載の遺伝子操作された細菌。
【請求項５】
ガラクトースパーミアーゼ（ＧＡＬＰ）、ホスホエノールピルビン酸カルボキシラーゼ（ＰＥＰＣ）およびピルビン酸カルボキシラーゼ（ＰＹＣ）からなる群より選択される１つ以上のタンパク質の増加した活性をさらに含む、請求項４に記載の遺伝子操作された細菌。
【請求項６】
過剰発現されたピルビン酸カルボキシラーゼ（ＰＹＣ）をさらに含む、請求項４に記載の遺伝子操作された細菌。
【請求項７】
細菌培養物においてカルボン酸を生産するための方法であって、
ａ）培養物において細菌を増殖させる工程であって、該細菌は、ΔａｄｈＥ、ΔｌｄｈＡ、ΔｐｏｘＢ、ΔｓｄｈＡＢ、ΔｉｃｌＲ、ΔｐｔｓＧ、Δ（ａｃｋＡ−ｐｔａ）を含む、工程；
ｂ）該細菌に糖基質を供給する工程；
ｃ）好気性条件下で、該細菌が該糖を代謝して十分なバイオマスにすることを可能にする工程；
ｄ）嫌気性条件下で、該細菌が該糖を代謝してカルボン酸生産を最大限にすることを可能にする工程；ならびに、
ｅ）該培養物からカルボン酸を回収する工程、
を包含する、方法。
【請求項８】
前記細菌が、ΔｐｔｓＧをさらに含む、請求項７に記載の方法。
【請求項９】
前記細菌が、過剰発現されたＰＹＣをさらに含む、請求項８に記載の方法。
【請求項１０】
前記カルボン酸がコハク酸であり、前記糖がグルコースであり、コハク酸が、グルコース１モルにつき１．５モルよりも多く回収される、請求項９に記載の方法。
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
動物から血液を採取すること、
この血液をラボで分析し血液検査結果を得ること、
前記血液検査結果に点数を付け、少なくとも１種の対応する血液パラメータについて少なくとも１個の血液検査点数を得ること、
前記少なくとも１個の血液検査点数が対応する血液パラメータについて定義した正常域外にあるかどうかおよび前記少なくとも１個の血液検査点数が前記正常域内にあるが前記正常域内の最適範囲外にあるかどうかを決定すること、
前記少なくとも１種の対応する血液パラメータについて最適範囲に動物をもっていくために必要な１種以上の栄養剤を同定すること、および
少なくとも前記対応する血液パラメータについての前記血液検査点数と前記血液検査点数の最適範囲からの偏差に基づいて、動物のために同定した前記１種以上の栄養剤の少なくとも１種の処方投与量を計算すること、
前記少なくとも１種の血液検査点数が前記正常域外に入るならば、前記少なくとも１種の血液検査点数を正常域に入れるために標準的栄養物または医薬を処方すること、
を含む動物個体に特化した栄養剤プログラムを提供する方法。
【請求項２】
前記１種以上の栄養剤の同定が、動物種、動物生理、動物生化学、動物の身体状態所見を述べたデータ、動物の医学的診断を述べるデータ等のうちの少なくとも１種に基づいていることを特徴とする請求項１記載の方法。
【請求項３】
特定の明らかになった栄養剤の処方投与量の計算が、
前記血液検査点数、最適範囲からの前記少なくとも１種の血液検査点数の偏差、動物種、動物体重、投与強度情報および投与限度情報に基づきプレキャップ投与量を計算すること、および
計算したプレキャップ投与量を次に、前記特定動物についての低キャップ投与量および高キャップ投与量と比較することを含み、
さらに、もし前記プレキャップ投与量が、低キャップ投与量と高キャップ投与量の間にあるならば、前記の処方投与量が、プレキャップ投与量に等しくなり、
もしプレキャップ投与量が高キャップ投与量を超えているならば、処方投与量は、この高キャップ投与量に等しくなり、および
もしプレキャップ投与量が低キャップ投与量未満であるならば、処方投与量は、低キャップ投与量に等しくなることを特徴とする請求項１または２記載の方法。
【請求項４】
低キャップ投与量は、動物体重または前記少なくとも１種の血液検査点数の最適範囲からの偏差にかかわらず、動物について処方した同定栄養剤の最小量であり、および
高キャップ投与量は、動物体重または前記少なくとも１種の血液検査点数の最適範囲からの偏差にかかわらず、動物について処方した同定栄養剤の最大量であることを特徴とする請求項３記載の方法。
【請求項５】
前記プレキャップ投与量は、投与強度Ｓに動物体重を掛けたものに等しいことを特徴とする請求項３記載の方法。
【請求項６】
前記投与強度Ｓが、下記：
Ｓ＝傾き（血液点数−最大範囲値）＋高投与量
として定義されることを特徴とする請求項５記載の方法。
【請求項７】
最適範囲から逸脱する血液検査点数範囲を示す複数の重篤度レベルを確立することをさらに含み、
ここで、重篤度レベルマイナスは、血液検査点数範囲が最適範囲最小値未満であることを示し、重篤度レベルプラスは、血液検査点数範囲が最適範囲最大値を越えていることを示すことを特徴とする請求項６記載の方法。
【請求項８】
もし前記少なくとも１種の血液検査点数が重篤度レベルマイナスになるならば、最大範囲値は、最適範囲に最も近い重篤度レベルマイナスの最高値であり、かつ、最小範囲値は、最適範囲から最も離れた重篤度レベルマイナスの最低値であり、もし少なくとも１種の血液検査点数が重篤度レベルプラスに入れば、最大範囲値は、最適範囲から最も離れた重篤度レベルプラスにおける最高値であり、かつ、最小範囲値は、最適範囲に最も近い重篤度レベルプラスにおける最低値であることを特徴とする請求項７記載の方法。
【請求項９】
傾きが、
傾き＝（高投与量−低投与量）／（最大範囲値−最小範囲値）
として定義されることを特徴とする請求項８記載の方法。
【請求項１０】
前記低投与量は、動物体重または前記少なくとも１種の血液検査点数の重篤度レベルにかかわらず、この動物について処方した最小栄養剤強度を示し、および
高投与量は、前記低投与量のおよそ２倍となることを特徴とする請求項９記載の方法。
【請求項１１】
前記正常範囲と最適範囲のうちの少なくともひとつは、複数動物についてのこれまでの血液検査点数を含むデータベースから導出されることを特徴とする請求項１ないし１０のいずれかに記載の方法。
【請求項１２】
前記データベースは、動物種、動物体重および血液検査点数に関する情報で更新することを特徴とする請求項１１記載の方法。
【請求項１３】
前記血液パラメータ類は、白血球情報、赤血球情報および血液化学情報の少なくとも１種を含むことを特徴とする請求項１ないし１２のいずれかに記載の方法。
【請求項１４】
前記血液パラメータは、動物の１種以上の内臓の機能に対応することを特徴とする請求項１ないし１３のいずれかに記載の方法。
【請求項１５】
前記栄養剤は、ビタミン、ミネラル、酵素、アミノ酸、ホメオパシーサプリメント、ハーブサプリメント、および未加工の生の腺サプリメントの少なくとも１つを含むことを特徴とする請求項１ないし１４のいずれかに記載の方法。
【請求項１６】
血液検査結果をラボからサービスプロバイダーに対して、電子的に伝えること、
サービスプロバイダーは血液検査結果に点数を付け、少なくとも１種の血液検査点数を得て、前記処方投与量を計算すること、
前記の処方投与量は、サービスプロバイダーから調剤薬剤師に電子的に伝えること、および
前記調剤薬剤師は、次に、処方された投与量に従って１種以上の識別された栄養剤を含む処方を作成し、動物に投与するため、動物飼い主または獣医に発送することを特徴とする請求項１ないし１６のいずれかに記載の方法。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
変異体Ｒｈｏｄｏｓｐｏｒｉｄｉｕｍ  ｔｏｒｕｌｏｉｄｅｓフェニルアラニンアンモニアリアーゼ（ＰＡＬ）を含むフェニルアラニンアンモニアリアーゼ（ＰＡＬ）であって、
該変異体フェニルアラニンアンモニアリアーゼ（ＰＡＬ）は、Ｋ１３２Ｒ、Ｈ３１２Ｎ、Ｋ７８Ｒ、Ｋ２４０Ｒ、Ｈ５９８Ｑ、Ｒ９１Ｋ、およびＨ１３７Ｋ、ならびにそれらの組合せからなる群より選択される変異を有する、
フェニルアラニンアンモニアリアーゼ（ＰＡＬ）。
【請求項２】
請求項１に記載のフェニルアラニンアンモニアリアーゼ（ＰＡＬ）であって、前記アミノ酸残基は、部位特異的変異誘発、ランダム変異誘発、または点変異誘発によって置換されている、フェニルアラニンアンモニアリアーゼ（ＰＡＬ）。
【請求項３】
請求項２に記載のフェニルアラニンアンモニアリアーゼ（ＰＡＬ）であって、
ペグ化
をさらに含む、フェニルアラニンアンモニアリアーゼ（ＰＡＬ）。
【請求項４】
請求項３に記載のフェニルアラニンアンモニアリアーゼ（ＰＡＬ）であって、該フェニルアラニンアンモニアリアーゼ（ＰＡＬ）は、野生型Ｒｈｏｄｏｓｐｏｒｉｄｉｕｍ  ｔｏｒｕｌｏｉｄｅｓフェニルアラニンアンモニアリアーゼ（ＰＡＬ）よりも高いフェニルアラニン変換活性を有する、フェニルアラニンアンモニアリアーゼ（ＰＡＬ）。
【請求項５】
請求項４に記載のフェニルアラニンアンモニアリアーゼ（ＰＡＬ）であって、該フェニルアラニンアンモニアリアーゼ（ＰＡＬ）は、野生型Ｒｈｏｄｏｓｐｏｒｉｄｉｕｍ  ｔｏｒｕｌｏｉｄｅｓフェニルアラニンアンモニアリアーゼ（ＰＡＬ）よりも少なくとも１０％高いフェニルアラニン変換活性を有する、フェニルアラニンアンモニアリアーゼ（ＰＡＬ）。
【請求項６】
請求項３に記載のフェニルアラニンアンモニアリアーゼ（ＰＡＬ）であって、該フェニルアラニンアンモニアリアーゼ（ＰＡＬ）は、野生型Ｒｈｏｄｏｓｐｏｒｉｄｉｕｍ  ｔｏｒｕｌｏｉｄｅｓフェニルアラニンアンモニアリアーゼ（ＰＡＬ）と比較して低減した免疫原性を有する、フェニルアラニンアンモニアリアーゼ（ＰＡＬ）。
【請求項７】
請求項１または３に記載のフェニルアラニンアンモニアリアーゼ（ＰＡＬ）を含む、組成物。
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
モジュラーマイクロビーズ集積化ＤＮＡシーケンシングシステムであって、該システムは、
標的分析物を捕捉および精製するための手段および該標的分析物をマイクロ流体デバイス内へ導入するための手段を備える第１モジュール（１）と、
該マイクロ流体デバイスを備える第２モジュールと、
を備え、ここで該マイクロ流体デバイスは該標的分析物を検出もしくは分析するために適合しており、
標的分析物を捕捉および精製するための該手段は、標的分析物を捕捉および精製するためのビーズを含み；
該標的分析物をマイクロ流体デバイス内へ導入するための該手段は、順方向および逆方向両方の対合末端読み込みの実行のためのサイクルシーケンシング反応チャンバ（３１６）を備えるサイクルシーケンシングモジュールと、ダイアフラムバルブ（８０）を備える少なくとも１つの空気作動型マイクロロボット利用オンチップ（ＭＯＶ）ポンプを含むことを特徴とし、
該第２モジュールは、順方向もしくは逆方向読み込みのどちらかのための親和性ゲルマトリックスを備える２つの対合読み込み親和性捕捉チャンバ（３１７，３１８）と、２つの分離チャネル（３２１，３２４）とを備えるＤＮＡ分析モジュールを含み、
該モジュールは流体連絡し、単独または複数のビーズが該システムにおけるシーケンシング分析のために移動され得る、
システム。
【請求項２】
前記標的分析物が、細菌、ウイルス、胞子、真核細胞、または核酸からなる群から選択される、請求項１に記載のシステム。
【請求項３】
前記細菌が炭疽菌（Ｂａｃｉｌｌｕｓ  ａｎｔｈｒａｃｉｓ）である、請求項２に記載のシステム。
【請求項４】
前記胞子が炭疽菌胞子である、請求項２に記載のシステム。
【請求項５】
前記細胞が癌細胞である、請求項２に記載のシステム。
【請求項６】
前記核酸がＤＮＡである、請求項２に記載のシステム。
【請求項７】
前記ビーズは核酸と結合するように構成される、請求項１に記載のシステム。
【請求項８】
前記ＭＯＶポンプはフローサイトメトリー法を用いて前記ビーズを移動させる、請求項１に記載のシステム。
【請求項９】
前記ＭＯＶポンプは確率配分プロセスを用いて前記ビーズを移動させる、請求項１に記載のシステム。
【請求項１０】
標的分析物を捕捉および精製するための前記モジュールは、免疫捕捉モジュール（２）、溶解モジュール（３）、および核酸精製モジュール（４）をさらに含む、請求項１に記載のシステム。
【請求項１１】
前記２つの分離チャネル（３２１，３２４）は、２つのキャピラリ電気泳動（ＣＥ）チャネルを備える、請求項１に記載のシステム。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
上部椎体（１）に接触する上部コンタクトプレート（５）と、下部椎体（２）に接触する下部コンタクトプレート（６）と、上記上部コンタクトプレート及び下部コンタクトプレート（５、６）を接続するブリッジングパート（７）と、を備え、
該ブリッジングパート（７）は、上部椎体及び下部椎体（１、２）間に配置されかつ部分的に置換される少なくとも１つの椎体（３）を橋渡しするよう設計され、
さらに上記ブリッジングパート（７）は上記椎体（３）の骨空洞内に固定される、椎体の部分置換用プロテーゼにおいて、
部分置換される椎体（３）の骨空洞に上記ブリッジングパート（７）を固定するため、上記ブリッジングパート（７）は、横方向に突出する固定突出部（９、１５、３２）を備え、該固定突出部（９、１５、３２）は、収容された挿入ポジションと、突出した固定ポジションと、の間を移動可能であることを特徴とするプロテーゼ。
【請求項２】
上記ブリッジングパート（７）の前面側から上記固定突出部（１５、３２）を駆動可能であることを特徴とする請求項１記載のプロテーゼ。
【請求項３】
上記固定突出部（９、１５、３２）が、背面側の端部に傾斜面（２７）を備え、該傾斜面（２７）は、上記固定突出部が突出する方向（２６）に対してある角度（２８）で傾斜され、
上記角度（２８）は、上記固定突出部が突出するとき、上記ブリッジングパートが上記骨空洞に固定されるような角度であることを特徴とする請求項１又は２記載のプロテーゼ。
【請求項４】
同じ機構により駆動する複数の固定突出部を備えることを特徴とする請求項１記載のプロテーゼ。
【請求項５】
上記固定突出部（１５、３２）がブリッジングパートのある面から駆動され、当該面から上記固定突出部（１５、３２）が骨空洞に挿入されることを特徴とする請求項１記載のプロテーゼ。
【請求項６】
上記ブリッジングパート（７）が、骨組織を受けるための開口部（１２）又はポアを有することを特徴とする請求項１記載のプロテーゼ。
【請求項７】
上記ブリッジングパート（７）に骨物質が充填されることを特徴とする請求項６記載のプロテーゼ。
【請求項８】
上記ブリッジングパート（７）が、その側面に沿って平坦な表面（１０）により規定されていることを特徴とする請求項１記載のプロテーゼ。
【請求項９】
上記ブリッジングパートをその側面に沿って規定する上記平坦な表面（１０）が、背面方向に向かうに従って互いに近づき、さらに切り欠き部が無いことを特徴とする請求項８記載のプロテーゼ。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
注入される物質を収容するバレルと、
針を保持する針保持具と、
該針から該注入される物質を射出するために該バレル内で移動可能であるように構成されたプランジャと、を備え、
該バレルは、該バレルの末端にカラーを具備し、
該針保持具は、該針保持具が該カラー内に突出するように該カラーまわりに密に嵌め合わされた外側部分を具備している針基内に嵌め込まれ、
該プランジャは、第２の部分内に収容されている第１の部分、及び該第１の部分と該第２の部分との間の弾性部材を有し、該第１及び該第２の部分は、該弾性部材を圧縮状態に保持するように押し嵌めにより解除可能に互いに係止するように構成され、
使用の際、該プランジャの該第１の部分及び該針保持具は、該物質の射出の後、互いに係合するように構成され、
該プランジャの該第２の部分は、該係合の後、該第１の部分から係止解除されるように構成され、該針保持具を該バレル内に進ませるように該弾性部材を拡張させることを特徴とする注射器。
【請求項２】
該針基外側部分がルアーテーパーを有する請求項１に記載の注射器。
【請求項３】
該バレルが該針保持具を保持する保持手段を備え、
使用の際、該針基の該外側部分から該針保持具を解放可能にすべく該プランジャの該第１及び該第２の部分を係止解除した後に該保持手段は該針保持具から離れるようになっていることを特徴とする請求項１または２に記載の注射器。
【請求項４】
該プランジャの該第１の部分は、係合手段により該針保持具と係合するように構成されていることを特徴とする請求項１ないし３のいずれか一項に記載の注射器。
【請求項５】
該係合手段は、該針保持具の弾性突起と該プランジャの該第１の部分の受け入れ部とを備えることを特徴とする請求項４に記載の注射器。
【請求項６】
該針保持具にある該弾性突起の全体が、該注射器の該バレルに装着可能な針基内に位置することを特徴とする請求項５に記載の注射器。
【請求項７】
該係合手段は、該針保持具にソケットを備え、該プランジャの該第１の部分に、対応するボールを備えることを特徴とする請求項４に記載の注射器。
【請求項８】
該プランジャの該第１及び該第２の部分は係止手段により解除可能に互いに係止するよう構成されていることを特徴とする請求項１ないし７のいずれか一項に記載の注射器。
【請求項９】
該係止手段は、該プランジャの該第２の部分に突起を有し、該突起は、該第１の部分の対応する凹部と係合するように構成されていることを特徴とする請求項８に記載の注射器。
【請求項１０】
該弾性部材はばねであることを特徴とする請求項１から９のいずれか一項に記載の注射器。
【請求項１１】
該プランジャは、該針保持具の後退後は該バレル内で移動不能に収容されるように構成されていることを特徴とする請求項１から１０のいずれか一項に記載の注射器。
【請求項１２】
該針保持具は、該物質の射出前に該注射器から取り外されるように構成されていることを特徴とする請求項１から１１のいずれか一項に記載の注射器。
【請求項１３】
該物質の射出中に該注射器内での該針保持具の軸方向の移動を防止する保持手段が設けられることを特徴とする請求項１から１２のいずれか一項に記載の注射器。
【請求項１４】
該保持手段は、該物質を射出するように位置付けされると該針保持具を把持するように構成された弾性留め部であることを特徴とする請求項１３に記載の注射器。
【請求項１５】
プランジャアセンブリの外側部分内にばねを落とし込むことと、
該プランジャアセンブリの内側部分を、該内側部分の筒状部材を該ばね内に入れた状態で該外側部分の中に挿入することと、
押し嵌め操作により該ばねを圧縮し、該ばねを圧縮状態に保持したまま該内側部分と該外側部分とを互いに係止することと、
注入される物質を収容するために、針を保持している針保持具を含む針基をバレルの端部に嵌めること
を備える注射器の組み立て方法。
【請求項１６】
請求項１５に記載の方法を使用して組み立てられる注射器であって、
該プランジャアセンブリは、該プランジャの該内側部分が該針保持具を装着するまで該バレル内に挿入され、
該プランジャアセンブリは、該バレル内にさらに挿入され、これにより該プランジャの該２つの部分が係止解除され、該圧縮されていた弾性部材が弛み、該弛みが該プランジャの該内側部分及びこれに装着された該針保持具を該バレル内に引っ込めるようになっていることを特徴とする注射器。
【請求項１７】
請求項１６に記載の注射器であって、
該バレルは、該針保持具を保持する保持手段を備え、
該針保持具を該針基から解放可能にすべく該プランジャの該第１及び該第２の部分が係止解除された後に、該保持手段は該針保持具から離されることを特徴とする注射器。
【請求項１８】
注射器バレルの末端にあるカラーに装着される針基であって、
該針基は針を保持するようになっており、
該針基の該注射器の該バレルの該カラーへの装着を容易にするガイド手段と、
使用後に該針を該注射器の該バレル内に引っ込み可能とするように該注射器のプランジャを係合する係合手段と
を備え、
該係合手段が、使用の際に該ガイド手段から該注射器バレル内に突出しないように、該ガイド手段の中に収容されるようになっていることを特徴とする針基。
【請求項１９】
該係合手段が弾性突起状になっている請求項１８に記載の針基。
【請求項２０】
該弾性突起が該プランジャとの係合を容易にすべく曲面を有する請求項１８に記載の針基。
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
（ｉ）作用物質としてのアミジノフェニルアラニン誘導体、ヒドロキシアミジノフェニルアラニン誘導体、グアニジノフェニルアラニン誘導体及び／又はヒドロキシグアニジノフェニルアラニン誘導体、
（ｉｉ）ポリオール／アルコールの混合物及び
（ｉｉｉ）緩衝液を含む水相
を含んでいる、薬剤学的製剤。
【請求項２】
緩衝液が酢酸緩衝液、特に酢酸ナトリウム緩衝液である、請求項１記載の薬剤学的製剤。
【請求項３】
アルコールがエタノールである、請求項１又は２記載の薬剤学的製剤。
【請求項４】
ポリオールがグリセリン、プロピレングリコール及びポリエチレングリコールから選択されている、請求項１から３までのいずれか１項記載の薬剤学的製剤。
【請求項５】
アルコール及び／又はポリオールが、全製剤に対して約２０〜６０％存在している、請求項１から４までのいずれか１項記載の薬剤学的製剤。
【請求項６】
成分（ｉｉ）が、２：１〜１０：１の混合比のポリオール／アルコールからなる混合物を含んでいる、請求項１から５までのいずれか１項記載の薬剤学的製剤。
【請求項７】
さらに、等張化剤及び／又は別の助剤又はそれらの組合せを含んでいる、請求項１から６までのいずれか１項記載の薬剤学的製剤。
【請求項８】
作用物質が、Ｎα−（２，４，６−トリイソプロピルフェニルスルホニル）−３−アミジノ−（Ｄ，Ｌ）−フェニルアラニン−４−エトキシカルボニルピペラジド、Ｎα−（２，４，６−トリイソプロピル−フェニルスルホニル）−３−グアニジノ−（Ｄ，Ｌ）−フェニルアラニン−４−エトキシカルボニルピペラジド、それらのＬ−エナンチオマー又はＮα−（２，４，６−トリイソプロピルフェニルスルホニル）−３−アミジノ−（Ｌ）−フェニルアラニン−４−エトキシカルボニルピペラジド、その塩化物、硫酸水素塩又は／及び硫酸塩及びそれらの薬剤学的に適合性の塩から選択されている、請求項１から７までのいずれか１項記載の薬剤学的製剤。
【請求項９】
作用物質が１００mg/mlまでの濃度で及び緩衝液が１０００mMまでの濃度で存在する、請求項１から８までのいずれか１項記載の薬剤学的製剤の濃縮物。
【請求項１０】
ウロキナーゼ関連疾患の制圧のため、好ましくは腫瘍制圧、腫瘍予防、転移形成の制圧又は／及び予防のため、特に好ましくは乳癌、膵臓癌又は／及び転移形成の制圧及び／又は予防のための、請求項１から９までのいずれか１項記載の製剤又は濃縮物。
【請求項１１】
関節炎、炎症、骨粗鬆症、網膜症、例えば加齢黄斑変性症の制圧及び／又は予防のため、皮膚疾患の尋常性天疱瘡の場合の水泡形成の防止の際の、請求項１から９までのいずれか１項記載の製剤又は濃縮物。
【請求項１２】
適した等張化剤中への薬剤学的製剤又は濃縮物の希釈により、注射液又は輸液による投与に適した溶液を製造するための、請求項１から１１までのいずれか１項記載の薬剤学的製剤又は濃縮物の使用であって、作用物質の最大濃度が１mg/mlまでである、薬剤学的製剤又は濃縮物の使用。
【請求項１３】
腫瘍疾患の治療及び／又は予防及び／又は転移形成の治療及び／又は予防のための、請求項１から９までのいずれか１項記載の薬剤学的製剤又は濃縮物の使用。
【請求項１４】
請求項１から９までのいずれか１項記載の薬剤学的製剤又は濃縮物及び細胞増殖抑止剤又は／及び細胞傷害剤を含有している、組合せ物。
【請求項１５】
ポリオール／アルコールの混合物の適した量及び緩衝液を含む水相の適した量を作用物質に添加することによる、作用物質としてアミジノ基、ヒドロキシアミジノ基、グアニジノ基及び／又はヒドロキシグアニジノ基を有する化合物を含んでいる薬剤学的製剤の安定化方法。
【手続補正書】
【提出日】平成20年8月19日(2008.8.19)
【手続補正１】
【補正対象書類名】明細書
【補正対象項目名】００６６
【補正方法】変更
【補正の内容】
【００６６】
腫瘍容積（ＴＶ）を、次のような式で算出した。
長さ×巾２÷２
相対的な腫瘍容積比率を、次のような式で算出した。
Ｖｔ／Ｖ０
ここにおいて、Ｖ０は、該動物を別々のゲージに分けて飼育した時に測定したＴＶであり、Ｖｔは、その後各々の回に測定されたＴＶである。
【手続補正２】
【補正対象書類名】明細書
【補正対象項目名】００９７
【補正方法】変更
【補正の内容】
【００９７】
製造方法は、有効成分としてＴＭＺ−８−カルボン酸ｎ−ヘキシルをＴＭＺ−８−カルボン酸オクチルに置き換えて、実施例１５に従う。望ましいカプセルが得られた。
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
有機シリケートガラス誘電体膜を処理するための組成物であって：
a）シリル化によって有機シリケートガラス誘電体膜のシラノール成分をアルキル化またはアリール化することのできる成分、および
b）活性化剤、
以上の成分を含む組成物。
【請求項２】
a）有機シリケートガラス誘電体膜を形成すること；
b）有機シリケートガラス誘電体膜を、シリル化によってこの有機シリケートガラス誘電体膜のシラノール成分をアルキル化またはアリール化することのできる成分および活性化剤を含む組成物と接触させること；
以上の工程を含む方法。
【請求項３】
基板上の有機シリケートガラス誘電体膜の中で応力によって誘起されるボイドが形成されるのを防ぐための方法であって、その有機シリケートガラス誘電体膜は前もって存在している炭素含有成分の少なくとも一部を除去するかあるいは前記有機シリケートガラス誘電体膜の疎水性を低下させる少なくとも一つの工程に供されたものであり、前記の方法は、前もって存在している炭素含有成分の少なくとも一部を除去するかあるいは前記有機シリケートガラス誘電体膜の疎水性を低下させる少なくとも一つの工程に供された後に、有機シリケートガラス誘電体膜を、炭素含有成分の疎水性の少なくとも幾分かを回復させるかあるいは有機シリケートガラス誘電体膜の疎水性を増大させるのに有効な濃度および時間で、組成物と接触させることを含み、このとき前記組成物は次の成分：
a）シリル化によって有機シリケートガラス誘電体膜のシラノール成分をアルキル化またはアリール化することのできる成分、および
b）活性化剤
を含む、前記方法。
【請求項４】
マイクロ電子デバイスを形成するための方法であって：
a）基板上に有機シリケートガラス誘電体膜を形成すること；
b）有機シリケートガラス誘電体膜を、前もって存在している炭素含有成分の少なくとも一部を除去するかあるいは前記有機シリケートガラス誘電体膜の疎水性を低下させる少なくとも一つの工程に供すること；
c）有機シリケートガラス誘電体膜を、前もって存在している炭素含有成分の少なくとも一部を回復させるかあるいは有機シリケートガラス誘電体膜の疎水性を増大させるのに有効な濃度および時間で、組成物と接触させること、このとき前記組成物は、シリル化によって有機シリケートガラス誘電体膜のシラノール成分をアルキル化またはアリール化することのできる成分および活性化剤を含む；
以上の工程を含む、前記方法。
【請求項５】
マイクロ電子デバイスを形成するための方法であって：
a）基板上に有機シリケートガラス誘電体膜を施すこと；
b）有機シリケートガラス誘電体膜にビアとトレンチのパターンを形成し、そして有機シリケートガラス誘電体膜を、前もって存在している炭素含有成分の少なくとも一部を除去するかあるいは前記有機シリケートガラス誘電体膜の疎水性を低下させる少なくとも一つの処理に供すること；
c）有機シリケートガラス誘電体膜を、有機シリケートガラス誘電体膜の疎水性を増大させるのに有効な濃度および時間で、処理剤組成物と接触させること、このとき処理剤組成物は、シリル化によって有機シリケートガラス誘電体膜のシラノール成分をアルキル化またはアリール化することのできる成分および活性化剤を含む；
以上の工程を含む、前記方法。
【手続補正２】
【補正対象書類名】明細書
【補正対象項目名】００１０
【補正方法】変更
【補正の内容】
【００１０】
本発明の一つの態様において、組成物はさらに、エチルアセトアセテート、メチルアセトアセテート、t-ブチルアセトアセテート、2-メトキシエチルアセトアセテート、アリルアセトアセテート、ベンジルアセトアセテート、ノニルアセテート、2-(2-ブトキシエトキシ) エチルアセテート、ペンチルアセテート、フェネチルアセテート、2-ブトキシエチルアセテート、2-エチルヘキシルアセテート、アルファ-メチルベンジルアセテート、ジメチルスルホキシド、N-メチル-N-メトキシアセトアミド、N,N-ジエチル-2-フェニルアセトアミド、N,N-ジメチルアセトアミド、N,N-ジエチルアセトアミド、N,N-ジフェニルアセトアミド、N,N-ジメチルプロピオンアミド、N,N-ジメチルイソブチルアミド、1,2-ジクロロベンゼン、クロロトルエン、1-ヘキサノール、2-エチル-1-ヘキサノール、5-メチル-1-ヘキサノール、6-フェニル-1-ヘキサノール、1-ヘプタノール、2-ヘプタノール、4-ヘプタノール、4-メチル-3-ヘプタノール、6-メチル-2-ヘプタノール、2,6-ジメチルヘプタノール、1-オクタノール、またはこれらの組合せを含む溶媒を含む。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
(I)  ポリカーボネートポリオールおよびポリテトラメチレングリコールポリオールに基づく、ヒドロキシル基を含まないポリウレタンおよび/またはポリウレタン-ウレア；
(II)  イオン的に変性されたヒドロキシル基-および/またはアミノ基-含有ポリウレタンおよび/またはポリウレタン-ウレア；
(III)  少なくとも1つの架橋剤、および
(IV)  任意に、付加的な皮膜形成樹脂
を含んで成る水性被覆材料。
【請求項２】
請求項1に記載の水性被覆材料の製造法であって、PUポリマー(I)およびPUポリマー(II)を水に分散させ、架橋剤(III)および任意に皮膜形成樹脂(IV)と混合することを特徴とする方法。
【請求項３】
請求項1に記載の水性被覆材料の製造法であって、PUポリマー(II)が、イソシアネート基に不活性の水混和性溶媒中の溶液として存在し、PU分散系(I)への導入によって水性相に移され、次に、架橋剤(III)および任意に皮膜形成樹脂(IV)と混合されることを特徴とする方法。
【請求項４】
請求項1に記載の被覆材料を含んで成る二成分塗料。
【請求項５】
鉱物建材表面、金属表面、アスファルトまたはビチュメンカバリングの被覆、木材または木材を基材とする材料またはプラスチック表面の塗装および封止のための、または高光沢ワニスとしての、請求項1に記載の被覆材料の使用。
【請求項６】
プラスチック基材または木材基材上に軟触感塗装面を形成するための、請求項1に記載の被覆材料の使用。
【請求項７】
請求項1に記載の被覆材料を含んで成る軟触感塗料。
【請求項８】
クリアコートまたはトップコート皮膜である最上層コートが、請求項7に記載の軟触感塗料を含んで成ることを特徴とするマルチコート系。
【手続補正書】
【提出日】平成20年8月12日(2008.8.12)
【手続補正１】
【補正対象書類名】特許請求の範囲
【補正対象項目名】請求項１
【補正方法】変更
【補正の内容】
【請求項１】
１以上のポリチオールおよび１以上のポリイソシアネートおよび水分によって活性化可能な潜在性塩基触媒を含んでおり、当量比ＮＣＯ：ＳＨが１：２〜２：１であるコーティング組成物。